(57)【要約】【課題】筒状突出部のオーバーフロー孔からの排水を良好に維持しながらオーバーフロー孔からの毛髪等のゴミの流出を防止できると共に、手入れが簡単にでき、排水性とゴミ捕集性と清掃性にそれぞれ優れたへアキャッチャーを提供すること。【解決手段】複数の排水孔１０を有する目皿部９と、目皿部９よりも上方に突出してその頂部１１ａにオーバーフロー孔１２が形成された筒状突出部１１とを備えたへアキャッチャー７である。上記筒状突出部１１のオーバーフロー孔１２に対して、該オーバーフロー孔１２よりも小径の開口孔１３が複数個設けられた上蓋１４を着脱可能に覆設した。【選択図】図１
2010174453.tif 000002
【特許請求の範囲】
【請求項１】
複数の排水孔を有する目皿部と、上記目皿部よりも上方に突出してその頂部にオーバーフロー孔が形成された筒状突出部とを備えたへアキャッチャーであって、上記筒状突出部のオーバーフロー孔に対して、該オーバーフロー孔よりも小径の開口孔が複数個設けられた上蓋を着脱可能に覆設してなることを特徴とするへアキャッチャー。
【請求項２】
上記オーバーフロー孔の外部に固定ピンを立設し、上蓋の一端部に上方から固定ピンに抜き差し可能に差し込まれる被固定片を突設したことを特徴とする請求項１記載のへアキャッチャー。
【発明の詳細な説明】
【技術分野】
【０００１】
本発明は、浴室の床の排水口などに設置されて、排水口に流れ込む毛髪等のゴミを捕集するへアキャッチャーに関するものである。
【背景技術】
【０００２】
従来から、ユニットバス等の洗い場における床面には、排水が排水枡に流れ込むように傾斜が設けられ、排水枡の底部の排水口には、髪の毛、湯垢、体毛等（以下、これら捕集物を毛髪等と記載する）を捕集するために適切な多数の排水孔を有するへアキャッチャーが設けられている（例えば特許文献１）。
【０００３】
ところで、洗い場の床面はバリアフリー化の流れのもと、脱衣室との段差が僅かとなっている場合があり、毛髪等によってへアキャッチャーが閉塞した状態になると、排水性が悪化し、特に入浴時に湯水が浴槽から溢れると、脱衣室まで流出するという問題が生じる。
【０００４】
そこで、目皿部に隣接して、通常状態では湯水が流れない高さに開口した筒状突出部を備えたへアキャッチャーが知られている（例えば特許文献１）。
【０００５】
この種のへアキャッチャー７’は、図３に示すように、通常時は目皿部９に設けた排水孔１０から排水し、排水孔１０の閉塞時には筒状突出部１１のオーバーフロー孔１２から排水するものであるが、このオーバーフロー孔１２は目詰まりを防止するために大きく開口しており、そのため目皿部９の閉塞時には毛髪等がオーバーフロー孔１２から流出するという問題がある。
【先行技術文献】
【特許文献】
【０００６】
【特許文献１】特開２００９−７７８４号公報
【発明の概要】
【発明が解決しようとする課題】
【０００７】
そこで本出願人は、特願２００７−２２１８５１号において、筒状突出部の頂部に形成される上面板部に小さなオーバーフロー孔を多数形成することにより、オーバーフロー時に毛髪等が排水と一緒に流出することを防止できる構造を既に開示している。
【０００８】
ところで、多数の小さなオーバーフロー孔が詰まらないようにするためには、定期的にへアキャッチャーを取り外して毛髪等のゴミを取り除く必要があるが、多数のオーバーフロー孔が開口した上面板部の裏面側に堆積したゴミはへアキャッチャーを単に振っただけではなかなか落下し難いものであり、この場合は、筒状突出部の下方から筒状突出部内に指を入れて上面板部の裏面側に溜まった毛髪等を直接摘むなどして取り出す必要があり、清潔ではないうえに、手入れに手間がかかり煩わしいものとなる。
【０００９】
本発明は上記の従来の問題点に鑑みて発明したものであって、その目的とするところは、筒状突出部のオーバーフロー孔からの排水を良好に維持しながらオーバーフロー孔からの毛髪等の流出を防止できると共に、手入れが簡単にでき、排水性とゴミ捕集性と清掃性にそれぞれ優れたへアキャッチャーを提供することにある。
【課題を解決するための手段】
【００１０】
前記の課題を解決するために、本発明に係るへアキャッチャーは、複数の排水孔１０を有する目皿部９と、上記目皿部９よりも上方に突出してその頂部１１ａにオーバーフロー孔１２が形成された筒状突出部１１とを備えたものであり、上記筒状突出部１１のオーバーフロー孔１２に対して、該オーバーフロー孔１２よりも小径の開口孔１３が複数個設けられた上蓋１４を着脱可能に覆設してなることを特徴としている。
【００１１】
このような構成とすることで、目皿部９が閉塞されたときは、オーバーフロー孔１２を覆う上蓋１４の複数の開口孔１３からオーバーフロー水を排水できるので、排水を確保しながら毛髪等の流出を防止できるようになる。さらに、上蓋１４の開口孔１３が閉塞されたときは、上蓋１４をオーバーフロー孔１２から取り外して簡単に清掃できるようになる。
【００１２】
また、上記オーバーフロー孔１２の外部に固定ピン１５を立設し、上蓋１４の一端部に上方から固定ピン１５に抜き差し可能に差し込まれる被固定片１６を突設するのが好ましく、この場合、オーバーフロー水の水圧が上蓋１４に作用する方向と上蓋１４を固定ピン１５に差し込む方向とが一致し、固定ピン１５からの上蓋１４の取り外しを容易にしながら、オーバーフロー水によって上蓋１４が浮き上がって外れてしまうことを防止できるようになる。
【発明の効果】
【００１３】
請求項１記載の発明は、筒状突出部のオーバーフロー孔に該オーバーフロー孔よりも小径の開口孔を複数個設けた上蓋を着脱可能に覆設したことにより、オーバーフロー時の排水性とゴミ捕集性が向上する。さらに、上蓋の開口孔が詰まったときは、上蓋をオーバーフロー孔から取り外して簡単に清掃できるので、清掃性が向上する。
【００１４】
請求項２記載の発明は、請求項1記載の効果に加えて、上蓋の被固定片を上方から固定ピンに差し込み保持することにより、オーバーフロー水の水圧で被固定片が固定ピンに押し付けられることで安定した固定状態が得られると共に、固定ピンからの上蓋の取り外しも容易となるため、上蓋の清掃が一層容易となる。
【図面の簡単な説明】
【００１５】
【図１】本発明の一実施形態に用いるへアキャッチャーを示し、（ａ）は平面図、（ｂ）は（ａ）のＡ−Ａ線に沿う断面図である
【図２】同上のへアキャッチャーを設置する浴室排水構造の説明図である。
【図３】本発明のへアキャッチャーの基本構成を示し、（ａ）は平面図、（ｂ）は（ａ）のＡ’−Ａ’線に沿う断面図である。
【発明を実施するための形態】
【００１６】
以下、本発明を添付図面に示す実施形態に基いて説明する。
【００１７】
まず本例のへアキャッチャー７が設置される排水構造につき説明する。図２に示す例では、水受面となる浴室の床パン１は、洗い場を構成する洗い場部２と浴槽が設置される浴槽設置部３とを備え、洗い場部２と浴槽設置部３の間には堰部４を立ち上げている。洗い場部２の浴槽設置部３側の端部には排水枡５を形成してあり、排水枡５の底部に取付口５４を形成している。この取付口５４には排水トラップ５０を取り付けてある。
【００１８】
排水トラップ５０は、容器状のトラップ本体５１と、トラップ本体５１に取り付けた取付用筒体５２と、トラップ本体５１の内側に挿入される封水筒体５３とを備えている。トラップ本体５１の上面に形成した開口部には取付用筒体５２の下部をねじ込んで取り付けてあり、この取付用筒体５２の上端部外周から突設した上側鍔部５６とトラップ本体５１の開口部の周縁部とでパッキン５５を介して取付口５４の周縁部を挟持して、トラップ本体５１を水密的に取付口５４に取り付けている。取付口５４の周縁部は段部５７を介して床パン１の洗い場部２の上面よりも低くなっており、これにより洗い場部２の排水口６を形成している。
【００１９】
封水筒体５３の下部はトラップ本体５１の排出口部５９よりも下方の位置まで挿入してあり、これにより封水筒体５３の下部はトラップ本体５１内の溜水内に浸かってトラップ本体５１内に封水部６２を形成する。
【００２０】
トラップ本体５１の外周壁部の上部には排出口部５９を設けてあり、排出口部５９にはトラップ本体５１内の排水を外部に排出するための外部排水管６０を接続している。また、トラップ本体５１の外周壁部の下部には連通口部６１を設けてあり、この連通口部６１には浴槽から排出された水をトラップ本体５１内へと導く導入管８０を接続している。洗い場部２上から排水口６に流入する湯水は、排水口６に嵌め込んだへアキャッチャー７を介して排水トラップ５０内に流れ落ち、排出口部５９から外部排水管６０に排出されるようになっている。
【００２１】
図１は本実施形態のへアキャッチャー７の一例を示す。このへアキャッチャー７は、平面視円形のへアキャッチャー本体８の片側領域に目皿部９を形成し、他側領域に取手部１７付き筒状突出部１１を突設して構成される。
【００２２】
上記目皿部９の最下部は水平な底部で構成してあり、底部を除く周囲部分は底部に向かって全方向から滑らかに下り傾斜した水勾配が設けられ、これら底部から周囲部分にわたって、上下に貫通する排水孔１０が多数形成されている。この目皿部９は、肉厚０．５〜１ｍｍの金属材料、例えば肉厚０．６ｍｍのステンレス材で形成されており、これにより薄肉で強度を確保できると共に、表面が平滑で傷が付き難く、汚れが付着しにくいため、ヌメリの発生も抑制される。この金属材料からなる目皿部９には、取手部１７付き筒状突出部１１が合成樹脂材料を用いてインサート成形されている。
【００２３】
上記筒状突出部１１は、通常状態では湯水が流れない高さに開口するように目皿部９よりも上方に立ち上げられる。本例の筒状突出部１１は平面視略扇形に形成されており、その外側面１１ｂは、へアキャッチャー本体８の他側領域の外周縁８ａに沿って湾曲した円弧状側面部１１ｄと、中央部がへアキャッチャー本体８の中心に位置するように突曲し、両端部が円弧状側面部１１ｄの両端にそれぞれ連なるように傾斜したく字状側面部１１ｃとからなる。
【００２４】
上記円弧状側面部１１ｄの下端部とへアキャッチャー本体８の外周縁８ａとの間には、凹溝状の誘導部２０が円弧状側面部１１ｄの下端全周にわたって連続形成されている。この誘導部２０は、目皿部９側に向かって滑らかに下り傾斜しており、図１（ａ）の矢印Ｂ方向に向けて排水をスムーズに誘導するものである。
【００２５】
上記筒状突出部１１の頂部１１ａに形成される上面板部１８の中央側には、オーバーフロー孔１２が開口しており、このオーバーフロー孔１２に対して上蓋１４が着脱可能に覆設されている。上蓋１４には、オーバーフロー孔１２よりも小径の開口孔１３が複数個設けられている。ここでいう複数個とは、オーバーフロー水に含まれる毛髪等を充分に捕集できる程度の数をいい、本例では１０個設けられている。本例の上蓋１４はゴム製からなり、オーバーフロー孔１２の孔径と略同径の円形状の上蓋本体２１と、上蓋本体２１の外側方に延出した幅狭の被固定片１６とが一体形成されている。被固定片１６には１つのピン孔部が設けられ、オーバーフロー孔１２を囲む外周リング部２２から立設した固定ピン１５に対して被固定片１６が上方から抜き差し可能に差し込まれることで、上蓋本体２１が固定ピン１５により片持ち支持された状態でオーバーフロー孔１２内部に隙間なく嵌入保持される。
【００２６】
本例の固定ピン１５は、外周リング部２２上の取手部１７側とは反対側の位置から立ち上がっている。この固定ピン１５に対して上蓋１４の被固定片１６を上方から差し込んだ状態では、図１（ｂ）に示すように、被固定片１６の先端１６ａが筒状突出部１１の外側面１１ｂよりも外側方（矢印ｄ方向）に突出した状態にあり、上蓋１４を取り外す際は被固定片１６の先端１６ａ部分に指を引っ掛けて持ち上げるだけで固定ピン１５から簡単に引き抜けるようになっている。
【００２７】
上記筒状突出部１１の頂部１１ａの外側から取手部１７が突設されている。この取手部１７は、目皿部９側とは反対方向に向かって且つ斜め上方に向かって突出しており、取手部１７の先端部分はへアキャッチャー本体８の外周縁８ａよりも外側方に延びている。
【００２８】
しかして、上記構成のへアキャッチャー７によれば、通常時は目皿部９から排水され、毛髪等は目皿部９に捕集される。目皿部９が目詰まりしたときは、上蓋１４の複数の開口孔１３からオーバーフロー孔１２内に排水され、毛髪等は上蓋１４に捕集される。そして日常的に溜まったゴミを捨てることにより、目皿部９及び上蓋１４の排水機能をそれぞれ維持できる。
【００２９】
ここで、上蓋１４は、固定ピン１５に対して簡単に着脱できるので、へアキャッチャー７を排水口６に取り付けたままの状態でも、上蓋１４だけを単独で取り外して手入れができる。しかも上向きの固定ピン１５に対して上蓋１４の被固定片１６を上方から差し込んでいるので、上蓋１４に対してオーバーフロー水の水圧がかかる方向（下向き）と上蓋１４の被固定片１６を固定ピン１５に差し込む方向（下向き）とが一致するようになり、これにより、上蓋１４を固定ピン１５に差し込むだけの簡易な固定構造でありながら、オーバーフロー水によって上蓋１４が浮き上がって外れてしまうこともない。
【００３０】
さらにゴム製の上蓋１４を固定ピン１５により片持ち支持しているので、上蓋本体２１の先端部分が図１（ｂ）の矢印ｅで示す方向に弾性変形自在となる。これにより上蓋１４の開口孔１３が詰まったときは、オーバーフロー水の水頭圧により上蓋１４が開き、排水を継続することができるようになり、またこの場合でもオーバーフロー水の大半が上蓋１４にかかるため上蓋１４の複数個の開口孔１３に毛髪等が引っ掛かって捕集されるようになる。従って、上蓋１４の開口孔１３が閉塞した状況であってもオーバーフローを継続できると共に毛髪等の流出を極力低減できる構造となる。なお、排水量が多いときに洗い場部２に排水が溢れた場合にあっては、へアキャッチャー７を排水口６に取り付けたままの状態で、上蓋１４の先端部分を指で摘んで持ち上げることでオーバーフロー孔１２を開放して排水を継続させることも可能である。
【００３１】
また本例では、取手部１７を筒状突出部１１の頂部１１ａから斜め上方に傾斜して突出しているので、上蓋１４側に排水されるオーバーフロー水が取手部１７を濡らした場合でも、取手部１７の水勾配によって水と一緒に毛髪等も上面板部１８側に流れ落ちるので、取手部１７は乾燥しやすくなると共に衛生的に保てるようになる。そのうえ取手部１７は、目皿部９とは反対方向に突出しているため、取手部１７を手で掴んでへアキャッチャー７を裏向きに振ってゴミを振り落とす際にゴミが手に当たらないようにできるものであり、衛生的に手入れができる利点もある。
【００３２】
さらに本例では、筒状突出部１１の外側面１１ｂの下端外周には、目皿部９側に向けて水勾配を有する誘導部２０が形成されているので、筒状突出部１１の外側面１１ｂの下端外周に毛髪等が絡まったりした場合でも、誘導部２０に沿って流れる水流によって目皿部９にスムーズに集められることとなり、筒状突出部１１側に毛髪等が堆積することがなくなり、清掃性が一層良くなるものである。
【産業上の利用可能性】
【００３３】
本発明に係るへアキャッチャーは、浴室の洗い場の床だけでなく、その他、洗面場等、髪の毛が流される排水口全般に適用可能である。
【符号の説明】
【００３４】
７  へアキャッチャー
９  目皿部
１０  排水孔
１１  筒状突出部
１１ａ  頂部
１２  オーバーフロー孔
１３  開口孔
１４  上蓋
１５  固定ピン
１６  被固定片
１７  取手部
【図１】
2010174453.tif 000003
【図２】
2010174453.tif 000004
【図３】
2010174453.tif 000005